【事件の表示】
　特願２００１−３１０５５号「床暖房装置」拒絶査定不服審判事件〔平成１４年８月２３日出願公開、特開２００２−２３５９２８号〕について、次のとおり審決する。
【結　論】
　本件審判の請求は、成り立たない。
【理　由】
第１　手続の経緯
　本願は、平成１３年２月７日の出願であって、平成２１年７月２日付けで拒絶査定がなされ、これに対し、平成２１年１０月６日に拒絶査定不服審判が請求されるとともに同日に手続補正がされたものである。
　
第２　平成２１年１０月６日の手続補正についての補正却下の決定
［補正却下の決定の結論］
　平成２１年１０月６日の手続補正（以下「本件補正」という。）を却下する。
　
［理由］
１．補正の内容
　本件補正は、特許請求の範囲について、
「【請求項１】　電気ヒータを内蔵した複数枚の床暖房パネルが並列して配置され、各床暖房パネルの電気ヒータの引出線と送り配線、アース引出線と送りアース線、送り配線同士、及び送りアース線同士が接続部により接続され、前記送り配線から各電気ヒータに電力を供給することにより、床暖房パネルを発熱するようにした床暖房装置において、前記床暖房パネルが並列して配置されない側の各床暖房パネルの一方の端部側方に、前記複数枚の床暖房パネルが並列して配置される方向に沿って延び、上方又は側方に開口部を有する配線通路が設けられ、その配線通路内に、電気ヒータの引出線、アース引出線、送りアース線、送り配線、及びそれらの接続部が収納され、配線通路の開口部は配線通路の全長に及ぶように設けられ、配線通路の開口部に配線通路カバーが被せられてなることを特徴とする床暖房装置。
【請求項２】 前記配線通路内に、これに水が侵入するのを防止する水切り部材が装着されることを特徴とする請求項１記載の床暖房装置。
【請求項３】 前記配線通路内に装着された水切り部材と前記配線通路カバーの間に水シール部材が介在されることを特徴とする請求項２記載の床暖房装置。」とある記載を、
「【請求項１】　電気ヒータを内蔵した複数枚の床暖房パネルが並列して配置され、各床暖房パネルの電気ヒータの引出線と送り配線、アース引出線と送りアース線、送り配線同士、及び送りアース線同士が接続部により接続され、前記送り配線から各電気ヒータに電力を供給することにより、床暖房パネルを発熱するようにした床暖房装置
であって
床暖房装置において、前記配線通路内に装着されて前記配線通路の長手方向から通路内に水が侵入するのを防止する水切り部材を備えた
【請求項２】　
前記水切り部材は、前記配線通路の通路内幅よりも長く形成され、両端を屈曲させるようにして前記配線通路内に装着されている
【請求項３】　前記配線通路内に装着された水切り部材と前記配線通路カバーの間に水シール部材が介在されることを特徴とする
請求項１又は
　
２．当審の判断
（１）上記補正事項のうち、補正後の請求項１については、請求項１を削除し、請求項２にさらに防止する水の侵入が
配線通路の長手方向から
ア．しかしながら、補正後の請求項２は、対応する補正前の請求項がないため、補正後の請求項２についての補正は、請求項の削除、特許請求の範囲の減縮、誤記の訂正又は明りょうでない記載の釈明を目的としたものとはいえない。
イ．また、請求項３についての補正は、請求項２を引用して記載していたものを、「請求項１又は請求項２」を引用して記載するものである。補正後の請求項１は実質的に補正前の請求項２に相当するものの、上記補正後の請求項３の記載は請求項２も含めて択一的に引用するものであるから、請求項の削除、特許請求の範囲の減縮、誤記の訂正又は明りょうでない記載の釈明を目的としたものとはいえない。
（２）一方、上記補正事項のうち、補正後の請求項２については、補正前の請求項２の水切り部材を限定するものとみることもできる。
ア．しかし、その場合、請求項１についてみると、「
前記配線通路内に装着されて前記配線通路の長手方向から通路内に水が侵入するのを防止する水切り部材を備えた
　また、請求項の削除、誤記の訂正又は明りょうでない記載の釈明を目的としたものともいえない。
イ．そしてこの場合においても、請求項３については上記（１）イ．と同様に、請求項２のみを引用して記載していたものを、補正後の請求項３の記載は請求項２も含めて択一的に引用するものであるから、請求項の削除、特許請求の範囲の減縮、誤記の訂正又は明りょうでない記載の釈明を目的としたものとはいえない。
３．むすび
　したがって、本件補正は、平成１８年法律第５５号改正附則第３条第１項によりなお従前の例によるとされる同法による改正前の特許法第１７条の２第４項の各号に該当せず、同項の規定に違反するので、同法第１５９条第１項において読み替えて準用する同法第５３条第１項の規定により却下すべきものである。
　
第３　本願発明について
　本件補正は、上記のとおり却下されたので、本願の請求項１に係る発明（以下「本願発明」という。）は、平成２１年３月２３日付けの手続補正書により補正された特許請求の範囲の請求項１に記載された事項により特定されるとおりのものである。（第２の１．参照）
　
１．引用刊行物
（１）引用刊行物１
　これに対して、原査定の拒絶の理由で引用され、本願出願前に頒布された実願平４−９２３０２号（実開平６−５１７２２号）のＣＤ−ＲＯＭ（以下「引用刊行物１」という。）には、次の事項が図面とともに記載されている。
ア．「端面に連通口が開口しているとともに側面に通線口が形成された細長い配線ケースを１本または前記連通口同士が対応するように複数本並べて配置するとともに、面状の発熱体が略全面にわたつて内蔵されていて一辺に引込口が形成された暖房パネルを、該暖房パネルの前記一辺を前記配線ケースの側面に沿わせるとともに前記引込口を前記通線口と対応させるように配置し、前記発熱体に接続される電源線、アース線等の配線コードを前記配線ケースの中空内、前記連通口、前記通線口及び前記引込口を通して配線する構成としたことを特徴とする床暖房装置の配線構造。」（請求項１）
イ．「【実施例】以下、本考案の一実施例を添付図面に基づいて説明する。
　本実施例の床暖房装置は、複数本の細長い配線ケース１と、短辺が配線ケース１の長さと同じ長さである方形の板状をなす複数枚の暖房パネル２０とから構成されている。
　配線ケース１は、長方形の金属薄板材を水平にした状態でその両側部を上方へ屈曲させることにより立ち上がり部３を形成するとともにその立ち上がり部３の先端縁部分を外側へ屈曲させることにより水平な受け部４を形成してなるケース本体２と、ケース本体２と同じ長さの長方形の金属薄板材を水平にした状態でその両側部を下方へ屈曲することにより側面覆い部６を形成してなるケースカバー５とからなる。
　ケースカバー５は上から被せるようにしてケース本体２に組み付けられ、これにより、ケースカバー５の両側部の下面がケース本体２の受け部４、４の上面に密着するとともに、ケースカバー５の側面覆い部６、６がケース本体２の立ち上がり部３、３を外面側から覆つた状態となる。
　かかる配線ケース１は、ケースカバー５のビス止め孔７及びケース本体２の受け部４の切欠部８を通して図示しないビスを図示しない下地床材に固着することにより、ケース本体２とケースカバー５が組み付けられた状態で固定されるようになつている。また、組み付け状態の配線ケース１の両端面はその全面にわたつて開口する連通口９となつている。
　ケース本体２の両端部底面には、図示しないコントローラを介して図示しない電源に接続された電源線（本考案の構成要素である配線コードに相当する）１０及び大地にアースされたアース線（本考案の構成要素である配線コードに相当する）１１を下地床材の下から配線ケース１の中空内に引き込むための円形をなす引き入れ口１２が形成されている。」（段落【０００８】〜【００１２】）
ウ．「一方、暖房パネル２０は、内部に方形をなす高さの低い中空を有していて４辺に補強枠材２２が組み付けられたパネル本体２１と、パネル本体２１の中空内に全面にわたつて収容された面状をなす発熱体２３とから構成されている。
　この暖房パネル２０の１つの側面の隅角に近い位置には引込口２４が開口して形成されており、この引込口２４は、補強枠材２２を一部除去して形成した連通空間２５を介すことにより暖房パネル２０の中空内と連通している。
　暖房パネル２０の中空の引込口２４に近い部分は結線用空間２８となつている。この結線用空間２８は、パネル本体２１の上面に形成された作業口２６のカバー２７を外すことによつて上方に開放されるようになつており、この結線用空間２８内においては、上記の配線ケース１内を通して配線される電源線１０とアース線１１が発熱体２３の口出し線２９の電源用リード線３０とアース用リード線３１とに接続されるようになつている。
　かかる配線ケース１と暖房パネル２０は次のようにして配置される。複数本の配線ケース１は、その両端の連通口９、９同士が対応するように１列に並べられて固定される。暖房パネル２０は、その短辺が配線ケース１の側面と平行となるようにするとともに引込口２４が配線ケース１の通線口１５と整合して対応する状態で各配線ケース１の両側に配置されて固定される。
　次に、電源線１０とアース線１１の配線について説明する。
　最も端に位置する配線ケース１の中空内には、その配線ケース１の底面の引き入れ口１２を通すことによつて第１の電源線１０ａとアース線１１ａが引き込まれ、その第１の電源線１０ａとアース線１１ａの引き込み端が配線ケース１の通線口１５及び暖房パネル２０の引込口２４を順に通すことにより、結線空間２８内に引き込まれている。
　この結線空間２８内には、さらに、配線ケース１の中空内を長さ方向に沿つて配線された第２の電源線１０ｂとアース線１１ｂの一端部が通線口１５と引込口２４を順に通すことによつて引き込まれているとともに、発熱体２３の口出し線２９の先端部が臨んでいる。
　そして、暖房パネル２０のカバー２７を外して開けた作業口２６から作業者が手を差し入れて結線空間２８内で結線作業を行うことにより、その結線空間２８内において第１と第２の電源線１０ａ、１０ｂ、アース線１１ａ、１１ｂ、口出し線２９の電源用リード線３０とアース用リード線３１が接続されている。
　また、配線ケース１の中空内に配線されている第２の電源線１０ｂとアース線１１ｂの他端部は、その配線ケース１の反対側の端部において通線口１５及び引込口２４を通すことにより、配線ケース１を挟んで上記接続済みの暖房パネル２０と反対側に位置する暖房パネル２０の結線空間２８内に引き込まれている。
　この暖房パネル２０の結線空間２８内には、端から２本目の配線ケース１の中空内に他端部を臨ませた第３の電源線１０ｃとアース線１１ｃの一端部が、配線ケース１の連通口９、通線口１５及び引込口２４を順に通すことによつて引き込まれているとともに、この暖房パネル２０の発熱体２３の口出し線２９が臨んでおり、これらの第２、第３の電源線１０ｂ、１０ｃ、アース線１１ｂ、１１ｃ及び口出し線２９が上記と同様にして接続されている。
　このようにして、電源線１０とアース線１１は、各暖房パネル２０の発熱体２３の口出し線２９に順次に接続されながら配線ケース１の中空内をその長さ方向に沿つて配線される。」（段落【００１４】〜【００２３】）
エ．「したがつて、床暖房装置の床面上において、暖房パネル２０に対応して発熱が行われる部分が占める面積は最大限まで広げられている。
　本実施例においては、暖房パネル２０を配線ケース１の両側に沿つて配置する場合について説明したが、本考案によれば、配線ケース１の一方の側面のみに沿つて暖房パネル２０を配置するようにしてもよいのであり、この場合にも、配線と発熱のいずれの用にも供されずに無駄に床面を占める部分がなくて、発熱面を最大限まで広げることが可能である。
　同じく本実施例においては、配線ケース１と暖房パネル２０の一辺の長さを同じにした場合について説明したが、本考案によれば、例えば、配線ケースを暖房パネルの一辺の整数倍の長さとして、１本だけ配置した配線ケースに沿つて複数枚の暖房パネルを配置するというように、配線ケースの長さと使用本数及び暖房パネルの一辺の長さと使用枚数は任意に選択することが可能である。」（段落【００２５】〜【００２７】
オ．図１には、最も端に位置する配線ケース１の一方の側面に配置される暖房パネル２０（最初の暖房パネル２０）のカバー２７の位置に、第１の電源線１０ａとアース線１１ａが引き込まれ、該位置に第２の電源線１０ｂとアース線１１ｂの一端部が引き込まれること、第２の電源線１０ｂとアース線１１ｂの他端部は上記最も端に位置する配線ケース１の反対側に配置される暖房パネル２０（反対側の暖房パネル２０）のカバー２７の位置に引き込まれ、該位置に第３の電源線１０ｃとアース線１１ｃの一端部が引き込まれること、また、第３の電源線１０ｃとアース線１１ｃの他端部は上記最初の最も端に位置する配線ケース１に続いて並べられる配線ケース１の反対側に配置される暖房パネル２０（さらに反対側の暖房パネル２０）のカバー２７の位置に引き込まれ、さらにその位置から配線ケース１の次の反対側の暖房パネル２０に線が設けられること、第３の電源線１０ｃとアース線１１ｃの他端が引き込まれる暖房パネル２０（さらに反対側の暖房パネル２０）は最初の暖房パネル２０に隣り合って配置されている様子が図示されている。
カ．図２には、結線空間２８に、引き入れ口１２を通った第１の電源線１０ａとアース線１１ａの引き込み端、配線ケース１の中空内を長さ方向に沿つて配線された第２の電源線１０ｂとアース線１１ｂの一端部及び発熱体２３の口出し線２９の先端部が引き込まれ、
第１の電源線１０ａのリード線と第２の電源線１０ｂの一端部のリード線と口出し線２９の電源用リード線３０とが接続され、
第１のアース線１１ａのリード線と第２のアース線１１ｂの一端部のリード線と口出し線２９のアース用リード線３１とが接続される様子が図示されている。
キ．上記イ．〜ウ．で摘示した暖房パネル２０を配線ケース１の両側に沿つて配置し、配線ケース１と暖房パネル２０の一辺の長さを同じにした実施例（記載事項エ．参照）において、ウ．で摘示した、「配線ケース１の中空内に配線されている第２の電源線１０ｂとアース線１１ｂの他端部」が「、その配線ケース１の反対側の端部において通線口１５及び引込口２４を通すことにより、配線ケース１を挟んで上記接続済みの暖房パネル２０と反対側に位置する暖房パネル２０の結線空間２８内に引き込まれ」た反対側の暖房パネル２０に着目すると、
「これらの第２、第３の電源線１０ｂ、１０ｃ、アース線１１ｂ、１１ｃ及び口出し線２９が上記と同様にして接続されている」のであるから、ウ．の記載及びカ．の図示内容からみて、
配線ケース１の中空内を長さ方向に沿つて配線された第２の電源線１０ｂの他端部のリード線と、配線ケース１の中空内を長さ方向に沿つて配線された第３の電源線１０ｃの一端部のリード線と、発熱体２３の口出し線２９の電源用リード線３０とが接続され、
配線ケース１の中空内を長さ方向に沿つて配線された第２のアース線１１ｂの他端部のリード線と、配線ケース１の中空内を長さ方向に沿つて配線された第３のアース線１１ｃの一端部のリード線と、発熱体２３の口出し線２９のアース用リード線３１とが接続されていることが当業者にとって明らかである。
　そして、上記オ．の図示内容からみて、この反対側の暖房パネル２０続く、さらに反対側の暖房パネル２０においても同様に接続されているといえる。
ク．一方、イ．で摘示したように「ケース本体２の両端部底面には、図示しないコントローラを介して図示しない電源に接続された電源線（本考案の構成要素である配線コードに相当する）１０」「を下地床材の下から配線ケース１の中空内に引き込むための円形をなす引き入れ口１２が形成され」ており、カ．の「第１の電源線１０ａのリード線と第２の電源線１０ｂの一端部のリード線と口出し線２９の電源用リード線３０とが接続され」るとの図示内容及び上記キ．で検討した事項から、第２の電源線１０ｂは、その一端部のリード線が引き入れ口１２を通った第１の電源線１０ａを介して電源に接続されるとともに最初の暖房パネル２０の発熱体２３の口出し線２９の電源用リード線３０に接続され、その他端部のリード線が発熱体２３の口出し線２９の電源用リード線３０に接続され、さらに第３の電源線１０ｃの一端部のリード線に接続するものであって、第３の電源線１０ｃの他端部もさらに反対側の暖房パネル２０の発熱体２３の口出し線２９の電源用リード線３０に接続されるといえる。
　また、同様に、「ケース本体２の両端部底面には、」「大地にアースされたアース線（本考案の構成要素である配線コードに相当する）１１を下地床材の下から配線ケース１の中空内に引き込むための円形をなす引き入れ口１２が形成され」ており、カ．の「第１のアース線１１ａのリード線と第２のアース線１１ｂの一端部のリード線と口出し線２９のアース用リード線３１とが接続される」との図示内容及び上記キ．で検討した事項から、第２のアース線１１ｂは、その一端部のリード線が引き入れ口１２を通った第１のアース線１１ａを介して大地にアースされるとともに最初の暖房パネル２０の発熱体２３の口出し線２９のアース用リード線３１に接続され、その他端部のリード線が発熱体２３の口出し線２９のアース用リード線３１に接続され、さらに第３のアース線１１ｃの一端部のリード線に接続するものであって、第３のアース線１１ｃの他端部もさらに反対側の暖房パネル２０の発熱体２３の口出し線２９のアース用リード線３１に接続されるといえる。
　
　上記記載事項ア．〜エ．、オ．及びカ．の図示内容並びにキ．及びク．で検討した事項を総合すると、引用刊行物１には次の発明（以下「引用発明」という。）が記載されているといえる。
「面状をなす発熱体２３が収容された暖房パネル２０を配線ケース１の両側又は一方の側面に沿つて複数配置し、
　第２の電源線１０ｂは、その一端部のリード線が引き入れ口１２を通った第１の電源線１０ａを介して電源に接続されるとともに最初の暖房パネル２０の発熱体２３の口出し線２９の電源用リード線３０に接続され、その他端部のリード線が発熱体２３の口出し線２９の電源用リード線３０に接続され、さらに第３の電源線１０ｃの一端部のリード線に接続するものであって、第３の電源線１０ｃの他端部もさらに反対側の暖房パネル２０の発熱体２３の口出し線２９の電源用リード線３０に接続され、
　第２のアース線１１ｂは、その一端部のリード線が引き入れ口１２を通った第１のアース線１１ａを介して大地にアースされるとともに最初の暖房パネル２０の発熱体２３の口出し線２９のアース用リード線３１に接続され、その他端部のリード線が発熱体２３の口出し線２９のアース用リード線３１に接続され、さらに第３のアース線１１ｃの一端部のリード線に接続するものであって、第３のアース線１１ｃの他端部もさらに反対側の暖房パネル２０の発熱体２３の口出し線２９のアース用リード線３１に接続され、
　さらに反対側の暖房パネル２０においても同様に接続される床暖房装置において、
　端面に連通口が開口している細長い配線ケースを１本または前記連通口同士が対応するように複数本並べて配置するとともに、該暖房パネル２０の一辺を前記配線ケース１の側面に沿わせるように配置し、
　配線ケース１は、長方形の金属薄板材を水平にした状態でその両側部を上方へ屈曲させることにより立ち上がり部３を形成するとともにその立ち上がり部３の先端縁部分を外側へ屈曲させることにより水平な受け部４を形成してなるケース本体２と、ケース本体２と同じ長さの長方形の金属薄板材を水平にした状態でその両側部を下方へ屈曲することにより側面覆い部６を形成してなるケースカバー５とからなり、ケースカバー５は上から被せるようにしてケース本体２に組み付けられ、ビスで固定され、これにより、ケースカバー５の両側部の下面がケース本体２の受け部４、４の上面に密着するとともに、ケースカバー５の側面覆い部６、６がケース本体２の立ち上がり部３、３を外面側から覆つた状態となるものであって、
　第２の電源線１０ｂ、第３の電源線１０ｃ、第２のアース線１１ｂ及び第３のアース線１１ｃは配線ケース１の中空内を長さ方向に沿つて配線され、
第２の電源線１０ｂの他端部、第３の電源線１０ｃの一端部、第２のアース線１１ｂの他端部及び第３のアース線１１ｃの一端部が、配線ケース１から、暖房パネル２０の１つの側面の隅角に近い位置にある引込口２４に近い部分の結線用空間２８に引き込まれ、該暖房パネル２０の発熱体２３の口出し線２９の電源用リード線３０やアース用リード線３１と接続されるものであって、
結線用空間２８の上面に形成された作業口２６のカバー２７を外すことによつて上方に開放され、結線空間２８内で結線作業を行うものである、
配線と発熱のいずれの用にも供されずに無駄に床面を占める部分がなくて、床暖房装置の床面上において、暖房パネル２０に対応して発熱が行われる部分が占める面積は最大限まで広げられている床暖房装置。」
　
（２）引用刊行物２
　また、同じく引用され、本願出願前に頒布された特開平９−２１０３８６号公報（以下「引用刊行物２」という。）には、次の事項が図面とともに記載されている。
ア．「図１および図２に示すように、この実施の形態の床暖房システムは、ヒーターを内蔵した床暖房パネル１を複数枚敷設し、この複数枚敷設した床暖房パネル１の周囲に周辺床材１０を敷設して成るものである。このような床暖房システムは、部屋の中央部などのように、人が居る確率が高く、特に暖房が必要な床面を効率よく暖房することができて好ましいものである。
　また、床暖房パネル１の対向する両端には、互いに接続できる接続端子２、３を設けている。接続端子２は床暖房パネル１の一端から延出させた配線コード２ａ先端に接続端子２を設けてオス型に形成されている。また、接続端子３は床暖房パネル１に形成した配線孔６内に設けられて、メス型に形成されている。また、床暖房パネル１と隣接する周辺床材１０の端部には、この端部に平行な配線通路５が形成され、この配線通路５に接続端子４を設けてメス型としている。
　そして、図２ないし図４に示すように、接続端子２、３を近接させて配される一方の床暖房パネル１と他方の床暖房パネル１とを、これらの接続端子２、３とを配線接続して敷設している。また、周辺床材１０の接続端子４には床暖房パネル１の接続端子２が配線接続され、隣合う周辺床材１０間の接続端子４、４は、先端にオス型の接続端子を有する配線コード７にて接続されている。
　また、図３または図４に示すように、配線孔６または配線通路５内のメス型の接続端子３、４に、オス型の接続端子２を接続したのち、表面ピース８によって密閉して配線施工を完了するようにしている。
　以上のような床暖房システムでは、周辺床材１０における配線通路５内の接続端子４を介して、床暖房パネル２に給電することができている。そして、この配線通路５は、この配線通路５が設けられる端部に平行なので、図において上下に隣合う周辺床材１０の配線通路５は互いに連通し、周辺床材１０のそれぞれ隣合う接続端子４をこの配線通路５を通して配線接続しているのであって、図において上下に並設される床暖房パネル１に給電できているのである。その上さらに、図において、横方向に床暖房パネル１どうしが配線接続され、床面の縦横方向に広い面積に敷設された床暖房パネル１全面に給電されているのである。
　・・・(中略)・・・
　また、周辺床材１０の接続端子４に、先に敷設された床暖房パネル１の接続端子２を接続する作業は、先に敷設された床暖房パネル１の接続端子２がオス型なので、配線コード２ａを引き出して、固定されていない側の周辺床材１０の接続端子４に、容易に接続することができる。また、隣合う床暖房パネル１についても、同様の手順にて容易に接続作業を行うことができる。
」（段落【００１８】〜【００２４】）
イ．「本発明の第二の実施の形態を図５を参照して以下に説明する。・・・(中略)・・・この周辺床材１０は、接続端子３、４を側方に配して並設状態に敷設された床暖房パネル１の並設された長さに形成されている。そして、この並設された長さの端部を床暖房パネル１に隣接させ、この周辺床材１０端部に並設方向に略平行な配線通路５を設けるとともに、この配線通路５に前記並設状態の床暖房パネル１におけるそれぞれのオス型とした接続端子２に対応するように、接続端子４を設けているものである。また、それぞれの接続端子４はあらかじめ並列に配線接続されており、このような周辺床材１０のそれぞれの接続端子４を、床暖房パネル１の接続端子２に配線接続して敷設しているのである。
　このような床暖房システムでは、一枚の周辺床材１０の接続端子４に、並設された床暖房パネル１のそれぞれの接続端子２を配線接続することができ、それぞれの接続端子２の数だけの周辺床材１０を用意する必要がなくなっている。また、施工時に周辺床材１０のそれぞれの接続端子４を接続する必要がなくなって、施工容易なものになっている。
」（段落【００２５】〜【００２８】）
ウ．図４には、接続端子４とともに配線コード７が配線通路５内に配置される様子が図示される。
　上記記載事項ア．及びイ．並びにウ．の図示内容を総合すると、引用刊行物２には次の事項が記載されているといえる。
「周辺床材１０は、上下に並設状態に敷設されたヒーターを内蔵した床暖房パネル１の並設された長さに形成され、
　この並設された長さの端部を床暖房パネル１に隣接させ、
　この周辺床材１０端部に並設方向に略平行な配線通路５を設けるとともに、
　この配線通路５に、前記並設状態の床暖房パネル１において床暖房パネル１の一端から延出させた配線コード２ａ先端に接続端子２を設けてそれぞれのオス型とした接続端子２に対応するように、メス型の接続端子４を設け、
　それぞれの接続端子４は、あらかじめ配線通路５内の配線コード７にて並列に配線接続されており、
　このような周辺床材１０のそれぞれの接続端子４を、床暖房パネル１の接続端子２に配線接続して敷設し、
　人が居る確率が高く、特に暖房が必要な床面を効率よく暖房することができ、
　先に敷設された床暖房パネル１の接続端子２がオス型なので、配線コード２ａを引き出して、固定されていない側の周辺床材１０の接続端子４に、容易に接続することができる
　床暖房システム。」
　
２．対比・判断
　そこで、本願発明と引用発明とを対比すると、後者の「発熱体２３」は、その機能または作用等からみて、前者の「電気ヒータ」に相当し、以下同様に、後者の「面状をなす発熱体２３が収容された暖房パネル２０」は前者の「電気ヒータを内蔵した」「床暖房パネル」に、後者の「面状をなす発熱体２３が収容された暖房パネル２０を配線ケース１の両側又は一方の側面に沿つて複数配置」する態様は前者の「電気ヒータを内蔵した複数枚の床暖房パネルが並列して配置」する態様に、後者の「発熱体２３の口出し線２９の電源用リード線３０」は前者の「電気ヒータの引出線」に、後者の「発熱体２３の口出し線２９のアース用リード線３１」は前者の「アース引出線」にそれぞれ相当する。
　後者の第２の電源線１０ｂは、「その一端部のリード線が引き入れ口１２を通った第１の電源線１０ａを介して電源に接続されるとともに最初の暖房パネル２０の発熱体２３の口出し線２９の電源用リード線３０に接続され、その他端部のリード線が発熱体２３の口出し線２９の電源用リード線３０に接続され」、第３の電源線１０ｃもその「一端部のリード線に接続するものであって、第３の電源線１０ｃの他端部もさらに反対側の暖房パネル２０の発熱体２３の口出し線２９の電源用リード線３０に接続され」、「さらに反対側の暖房パネル２０においても同様に接続される」ものであるから、後者の「第２の電源線１０ｂ」及び「第３の電源線１０ｃ」は前者の「送り配線」に相当し、後者も前者と同様に「送り配線から各電気ヒータに電力を供給する」ものであって、その電力で暖房パネル２０が発熱するものといえる。
　そして、後者の「第２の電源線１０ｂ」「の他端部のリード線が発熱体２３の口出し線２９の電源用リード線３０に接続され」る態様は前者の「電気ヒータの引出線と送り配線」が「接続され」る態様に、後者の「さらに第３の電源線１０ｃの一端部のリード線に接続する」態様は前者の「送り配線同士」が「接続され」る態様にそれぞれ相当する。
　また、後者の第２のアース線１１ｂは、「その一端部のリード線が引き入れ口１２を通った第１のアース線１１ａを介して大地にアースされるとともに最初の暖房パネル２０の発熱体２３の口出し線２９のアース用リード線３１に接続され、その他端部のリード線が発熱体２３の口出し線２９のアース用リード線３１に接続され、」第３のアース線１１ｃもその「一端部のリード線に接続するものであって、第３のアース線１１ｃの他端部もさらに反対側の暖房パネル２０の発熱体２３の口出し線２９のアース用リード線３１に接続され」、「さらに反対側の暖房パネル２０においても同様に接続される」ものであるから、後者の「第２のアース線１１ｂ」及び「第３のアース線１１ｃ」は前者の「送りアース線」に相当する。
　そして、後者の「第２のアース線１１ｂ」「の他端部のリード線が発熱体２３の口出し線２９のアース用リード線３１に接続され」る態様は前者の「アース引出線と送りアース線」が「接続され」る態様に、後者の「さらに第３のアース線１１ｃの一端部のリード線に接続する」る態様は前者の「送りアース線同士が」「接続され」る態様にそれぞれ相当する。
　さらに、後者のこれらの接続について、その接続する部分は、前者の「接続部」に対応するといえ、接続部により接続されるものである。
　
　一方、後者の「長方形の金属薄板材を水平にした状態でその両側部を上方へ屈曲させることにより立ち上がり部３を形成するとともにその立ち上がり部３の先端縁部分を外側へ屈曲させることにより水平な受け部４を形成してなるケース本体２」はその全長において上方が開口するものであって、前者の「上方」「に開口部を有する」と同様の形態である。
　また、後者の配線ケース１は、ケース本体２と、「ケース本体２と同じ長さの長方形の金属薄板材を水平にした状態でその両側部を下方へ屈曲することにより側面覆い部６を形成してなるケースカバー５と」からなり、「ケースカバー５は上から被せるようにしてケース本体２に組み付けられ、ビスで固定され、これにより、ケースカバー５の両側部の下面がケース本体２の受け部４、４の上面に密着するとともに、ケースカバー５の側面覆い部６、６がケース本体２の立ち上がり部３、３を外面側から覆つた状態となるものであ」るから、ケースカバー５はケース本体２の上方の開口に被せられるものといえ、前者の「開口部に」「カバーが被せられてなる」と同様の形態である。さらに、後者の配線ケース１は「暖房パネル２０を配線ケース１の両側又は一方の側面に沿つて複数配置」され、「端面に連通口が開口している細長い配線ケースを１本または前記連通口同士が対応するように複数本並べて配置するとともに、該暖房パネル２０の一辺を前記配線ケース１の側面に沿わせるように配置」されていて、ケース本体２についても同様に配置するものといえるから、前者の「床暖房パネルが並列して配置されない側の各床暖房パネルの一方の端部側方に、前記複数枚の床暖房パネルが並列して配置される方向に沿って延びる」態様と同様であるといえる。
　そしてこのようにケース本体２にケースカバー５が組み付けられているから、「配線ケース１の中空内を長さ方向に沿つて配線され」た「第２の電源線１０ｂ、第３の電源線１０ｃ、第２のアース線１１ｂ及び第３のアース線１１ｃ」は、ケース本体２内に長さ方向に沿つて配線されているといえる。
　そうすると、後者の「ケース本体２」は、前者の「床暖房パネルが並列して配置されない側の各床暖房パネルの一方の端部側方に、複数枚の床暖房パネルが並列して配置される方向に沿って延び、上方」「に開口部を有する」配線通路に相当し、かつ前者の「その配線通路内に、」「送りアース線、送り配線」「が収納され、配線通路の開口部は配線通路の全長に及ぶように設けられ、配線通路の開口部に配線通路カバーが被せられてなる」態様でも共通し、後者の「ケースカバー５」は前者の「配線通路カバー」に相当している。
　
　したがって、両者は、次の点で一致する。
（一致点）
「電気ヒータを内蔵した複数枚の床暖房パネルが並列して配置され、各床暖房パネルの電気ヒータの引出線と送り配線、アース引出線と送りアース線、送り配線同士、及び送りアース線同士が接続部により接続され、前記送り配線から各電気ヒータに電力を供給することにより、床暖房パネルを発熱するようにした床暖房装置において、前記床暖房パネルが並列して配置されない側の各床暖房パネルの一方の端部側方に、前記複数枚の床暖房パネルが並列して配置される方向に沿って延び、上方に開口部を有する配線通路が設けられ、その配線通路内に、送りアース線及び送り配線が収納され、配線通路の開口部は配線通路の全長に及ぶように設けられ、配線通路の開口部に配線通路カバーが被せられてなる床暖房装置。」
　
　そして、両者は、次の点で相違する。
（相違点）
　配線通路内へ収納するものに関し、本願発明が「電気ヒータの引出線、アース引出線、送りアース線、送り配線及びそれらの接続部」であるのに対し、引用発明は「第２の電源線１０ｂ、第３の電源線１０ｃ、第２のアース線１１ｂ及び第３のアース線１１ｃ」であって、「第２の電源線１０ｂの他端部、第３の電源線１０ｃの一端部、第２のアース線１１ｂの他端部及び第３のアース線１１ｃの一端部が、配線ケース１から、暖房パネル２０の１つの側面の隅角に近い位置にある引込口２４に近い部分の結線用空間２８に引き込まれ、該暖房パネル２０の発熱体２３の口出し線２９の電源用リード線３０やアース用リード線３１と接続されるものであ」る点。
　
　上記相違点について検討する。
　引用発明は、「暖房パネル２０の１つの側面の隅角に近い位置にある引込口２４に近い部分の結線用空間２８」に「第２の電源線１０ｂの他端部、第３の電源線１０ｃの一端部、第２のアース線１１ｂの他端部及び第３のアース線１１ｃの一端部」を配線ケース１から引き込んで、「結線用空間２８の上面に形成された作業口２６のカバー２７を外すことによつて上方に開放され、結線空間２８内で結線作業を行うものである」が、これらを組立、敷設、接続するに際し、容易に接続することができるように、引用発明と同様の、上記並設された複数の床暖房パネル１とその並設方向に略平行な配線通路５を有する周辺床材１０からなる引用刊行物２に記載の事項に倣って、結線用空間２８に引き込んで接続することに替えて、暖房パネル２０から「発熱体２３の口出し線２９の電源用リード線３０やアース用リード線３１」を配線コードとして引き出し、「第２の電源線１０ｂ、第３の電源線１０ｃ、第２のアース線１１ｂ及び第３のアース線１１ｃ」が収納されたケース本体２で、「発熱体２３の口出し線２９の電源用リード線３０やアース用リード線３１」の配線コードと「第２の電源線１０ｂ、第３の電源線１０ｃ、第２のアース線１１ｂ及び第３のアース線１１ｃ」とを接続するようになすことは、当業者が格別の困難性を要することなくなし得たものである。
　そうすると、上記相違点に係る本願発明の構成とすることは、当業者が容易になし得たこといえ、そのことによる格別の効果もない。
　なお、引用発明は暖房パネル２０の結線用空間２８でカバー２７を外して結線作業を行うものであるが、上記のようにケース本体２で接続する際し、ビスで固定されるケースカバー５を外して結線作業を行うことも当業者が通常想到する程度のことである。
　そして引用発明や引用刊行物２に記載される床暖房システムは、より無駄なく、発熱が行われる部分が占める面積が大きくなるようになすものでもある。
　
３．なお、付言すると、第２の１．の補正後の請求項１に記載された発明にみても、本件補正により付加された「配線通路内に装着されて前記配線通路の長手方向から通路内に水が侵入するのを防止する水切り部材を備えた」点は、当業者が容易に想到し得た事項である。
　つまり、引用発明の配線ケース１は１．（１）イ．で摘示したように「組み付け状態の配線ケース１の両端面はその全面にわたつて開口する連通口９となつている」ものであって、その配線ケース１は各リード線の接続部分や引込口２４を通じて暖房パネル２０にまで連通するものである。
　一方、このような配線用の溝やダクトにおいて、開口する端部からの水やさらにその他の部分からの水等を防いで防水し、その中やそれにつながる部分に不具合がないようにすることは、例えば、実公昭５９−２２７４２号公報や特開平４−４７２０号公報、特開平７−３２４７６２号公報、特開平８−２７０９７１号公報等に示されるように従来周知のことである。
　そうすると、そのような水の侵入を防止する部材を設けることは当業者が格別の困難性を要することなくなし得たことである。
　したがって、補正後の請求項１に記載された発明も当業者が容易に発明をすることができたといわざるを得ない。
　
４．むすび
　以上のように、本願発明は、引用発明及び引用刊行物２に記載された事項に基づいて、当業者が容易に発明をすることができたものであるから、特許法第２９条第２項の規定により特許を受けることができない。そうすると、本願の他の請求項に係る発明について検討するまでもなく、本願は拒絶すべきものである。
　よって、結論のとおり審決する。